(57)【要約】      （修正有）【課題】利用時に竿受部を嵌入するだけで簡単に組み立てられ、移動の際には支持部２、挿餌箱ホルダー５及び竿受部６のそれぞれが分解し、分解時の各部品の数が少なく、軽量で且つ釣竿ケースや餌箱の中に入るように小型な形状で持ち運びに適している組立式釣竿受の提供。【解決手段】釣用箱７本体の側面に固定部１の係止板１１をナットとボルト１３であらかじめ付着させておき、利用時にはその固定部１に支持部２となる支持棒１４や挿餌箱ホルダー５を嵌挿し、組立部品を用いることなく、支持棒１４の先端にある嵌挿部１６に、竿受部６の嵌入孔２１を嵌入する嵌合部２０の角度で竿受部６の先端にある載置溝２３が上向きになるような角度を保ち、釣竿１０を安定して載置し滑落を防ぐという構成を採用した組立式釣竿受である。【選択図】図１
0003111373.tif 000002
【実用新案登録請求の範囲】
【請求項１】
本考案は、図１の任意の釣用箱７の側面に、固定部１の係止板１１をナットとボルト１３であらかじめ付着させ、利用時にはこの固定部１に釣用網８を掛けるためのＪ型フック３や、挿餌箱９を掛けるための挿餌箱ホルダー５などの機能を持ち合わせた支持部２となる柱状の支持棒１４を嵌挿し、更にネジなどの組立部品などを利用せず、嵌挿部１６に竿受部６の嵌入孔２１を嵌入し、釣竿１０を載置することで、釣りに必要な道具一式を一ヶ所に集め、釣り人の足場を確保し釣竿や釣用網の傾斜地や磯場での滑落を防ぐなど安全で機能的に釣りを行うための組立式釣竿受である。
【考案の詳細な説明】
【技術分野】
【０００１】  本考案は、足場が悪く不安定で狭い釣り場において、長く重量のある釣竿を置載させるために、撒餌箱など任意の釣用箱に設置し、組み立てて使用する組立式釣竿受に関するものである。
【背景技術】
【０００２】  先行技術考案のクーラーボックス取付型釣り竿受け（実開平７−３００７１）には保冷器（クーラーボックス）の側面に嵌め込み型支持箱を取り付け、その支持箱の中に釣り竿受け部を着脱させる構造となっている。【０００３】  先行技術考案の携帯用クーラーボックスに設けた釣竿係止装置（実開平７−３９４５２）は係止具に複数のフックを利用することで、装着は簡単でありまた釣竿の傾斜角度を選択することが可能であるが、利用時の釣竿の高さや釣針に餌を取り付ける等利用状況を鑑みると、竿受部本体が膝高よりも腰高程度の高さがあるほうが便利であると考えられる。【０００４】  先行技術考案の釣竿立て（特開平８−１３１０３９）には、釣竿立本体を直接地面に植設し、起立状態にセットするため、コンクリート製の港湾の岸壁や防波堤や砂浜など平地で利用することは可能であり、４本の支持脚の長さを調節する構造である。【０００５】  先行技術考案の釣竿保持具付き釣用箱（特開２００２−３４５３８４）では、バケツやクーラーボックスなど釣用箱本体の持ち運びのための既存部品である取手を利用して形成する構造であることが開示されている。
【文献】
実開平７−３９４５２
実開平７−３００７１
特開平８−１３１０３９
特開２００２−３４５３８４
【考案の開示】
【考案が解決しようとする課題】
【０００６】  これまでの先行技術では多様な構造の竿受が考案されているが、釣場のなかでも特に足場が悪く不安定で狭い磯や岩場などでは、釣竿など長いものを置く場所が限定される。魚を釣り上げた際や仕掛けを作るなど釣りに必要な作業をしている際に斜面や岩場に直接釣竿を置かずに作業ができるなど利便性を向上させ、釣竿の滑落を防ぎ、釣人の足場をより広くすることで安全性を確保するためにも竿受は必要である。本考案では、釣竿設置時の高さを維持し、且つ装着できる釣用箱本体の形状をクーラーボックスに限定せず、撒餌箱などの箱型の形状のものであればあらかじめ固定部が設置でき、利用時に組立部品を使うことなく支持部及び竿受部を差し込むだけで簡単に組み立てられるという点において、今まで以上に持運びや組立・分解が容易な形状であり、また移動の際には支持部及び竿受部それぞれが分解し、釣竿受本体が軽量で且つ釣竿ケースや撒餌箱の中に入る大きさや形状であるものが望まれていた。
【課題を解決するための手段】
【０００７】  上記に鑑み、本考案は、あらかじめ利用する任意の釣用箱本体の内面・外面を問わず、側面にビス等で図２の固定部１は嵌挿筒１２を備えた係止板１１をナットとボルト１３で付着させておき、利用時に図３の支持部を嵌入し、組立部品を用いることなく図５の竿受部を載設するという構成を採用する。
【考案の効果】
【０００８】  本考案の取付式釣竿受は、素材・大きさ・重量を選ばない任意の釣用箱の側面に、あらかじめ図１の固定部１を付着させておくだけで、利用時には組立部品を用いることもなく、支持部２となる柱状の棒を差し込むことで竿受部６の高さを確保し、起立させる。更に、支持部２に載置する竿受部６を安定させ、釣竿の滑落を防ぐよう竿受部の前部にある載置溝２３が上向きになるような角度に嵌入孔２１を設けることで竿受部６との嵌合部２０に固定の為の組立部品を利用しないシンプルな形状あるため、利用時の設置が容易であり、足場の状態やスペースの広狭に関係なく多様性が生まれる。同時に、部品自体が軽量で分解時の部品数が少なく移動中の持運びが容易である。
【考案を実施するための最良の形態】
【０００９】  図１で示す固定部１は図２の係止板１１を利用する釣用箱の形状や素材に合わせて、内側・外側を問わず側面にナットとボルト１３で付着させておく。支持部２の高さや竿受部６や釣竿１０の重量による傾斜を防ぐ程度の高さや硬さが必要であるということで考えると、スチール、ステンレス、アルミ等の金属材、プラスチック、合成樹脂等を利用する。また支持部２、挿餌ホルダー５及び竿受部６の素材は、軽量であり且つ載置する釣竿１０本体の重さに耐え得る強度となる素材であるプラスチック・合成樹脂または木材等を使用する。竿受部６の傾きと支持部２との嵌合部２０となる嵌入孔２１の形状により竿受部６とそこに載置する釣竿１０本体の滑落を防ぐため、竿受部６と釣竿１０との接触部である係止穴２２や載置溝２３にゴムや吸着性のある樹脂、フェルトなどの布類を貼着し竿受部６を安定させ、釣竿１０の滑落を防ぐ。
【実施例】
【００１０】  以下、本考案の実施例を図面に基づいて説明する。
図面は一実施例を示すもので、図１は、足場の悪い磯場での釣りを想定した場合に利用できるように、あらかじめ市販の撒餌箱７の側面に固定部１の係止板１１をナットとボルト１３で付着させておく。利用時には固定部１に支持部２を嵌入する。図１の支持部には市販の吊り下げ式のフックの付いた挿餌箱９を吊り下げるための挿餌箱ホルダー５を嵌挿し、その高さを固定し滑落を防ぐための突起部４を設ける。挿餌箱ホルダー５には、利用中に挿餌箱９が滑落するのを防ぐために、先端に突起部１９を設けている。これにより、腰位置に近い場所に挿餌箱９があることで、斜面や足場の悪い磯場での釣人の上下の屈伸運動を軽減することが可能となる。また、Ｊ型のフック３をビス１５で固定しておくことで釣用網８を吊る等の用途が生まれる。これにより、釣りに必要とされる撒餌・挿餌と、長くて置き場が限られる釣竿１０・釣用網８の４点が狭い足場の１ヶ所に揃う。支持部２の先端に竿受部６の嵌合部２０を載設し、そこに釣竿１０を載置するという構成である。
【図面の簡単な説明】
【００１１】
【図１】  本考案の一実施例を示す組立式釣竿受の斜視図
【図２】  本考案の固定部を示す側面図
【図３】  本考案の支持部を示す側面図
【図４】  本考案の支持部に嵌挿する挿餌箱ホルダーの側面図
【図５】  本考案の支持部と竿受部との嵌合部を示す側面図
【図６】  本考案の竿受部の平面図
【図７】  本考案の竿受部の側面図
【符号の説明】
【００１２】    １．  固定部
２．  支持部
３．  Ｊ型フック
４．  突起部
５．  挿餌ホルダー
６．  竿受部
７．  撒餌箱
８．  釣用網
９．  挿餌箱
１０．  釣竿
１１．  係止板
１２．  嵌挿筒
１３．  ナットとボルト（４−１）
１４．  支持棒
１５．  ビス
１６．  嵌挿部
１７．  挿込筒
１８．  吊掛部
１９．  突起部
２０．  嵌合部
２１．  嵌入孔
２２．  係止穴
２３．  載置溝
【図１】
0003111373.tif 000003
【図２】
0003111373.tif 000004
【図３】
0003111373.tif 000005
【図４】
0003111373.tif 000006
【図５】
0003111373.tif 000007
【図６】
0003111373.tif 000008
【図７】
0003111373.tif 000009
【手続補正書】
【提出日】平成17年2月25日(2005.2.25)
【手続補正１】
【補正対象書類名】実用新案登録請求の範囲
【補正対象項目名】全文
【補正方法】変更
【補正の内容】
【実用新案登録請求の範囲】
【請求項１】
利用者が持っている撒餌用の入れ物やクーラーボックスなど釣用箱７の内面・外面に関わらずその側面に、支持棒１４を挿入するための嵌挿筒１２を備えた係止板１１をナットとボルト１３などの止め具であらかじめ付着させた固定部１に、釣用網８を掛けるためのＪ型フック３・竿受部６の滑落を防ぐ突起部４・挿餌箱９を掛けるための挿餌箱ホルダー５などの機能を併せ持つ円柱を除いた四角など多角形の柱状の支持棒１４を嵌挿し、利用時に固定部１と支持部２の接続の為にネジなどの組立部品を要しない構造を有する組立式釣竿受。
【請求項２】
請求項１に記載の組立式釣竿受において、竿受部６の前方の載置溝２３が後方の係止穴２２よりも上向きになるよう嵌入孔２１を傾斜させて釣竿１０が平衡または後傾し竿受部６からの滑落を防ぎ、且つ、嵌挿部１６の形状に合わせて円形を除いた四角など多角形に開けられた嵌入孔２１を嵌挿部１６に嵌入することにより、支持部２と竿受部６の嵌合部２０が回転せずに固定されるという構造の竿受部６を支持部２の上に載置して、利用時に支持部２と竿受部６との接続の為にネジなどの組立部品を要しない組立式釣竿受。